(57)【要約】【課題】  本発明の課題は、レンズ支持体にレンズ体を組付ける際のスプリングの変形を防止できるレンズ駆動装置の製造方法を得ることである。【解決手段】  レンズ支持体７を前側スプリング９を介して揺動自在に筐体に取り付けた後、レンズ支持体７にレンズ体１２を固定するレンズ駆動装置１の製造方法において、レンズ支持体７と前側スプリング９とをベース５に組み込んだ後、ピン２３をレンズ支持体７の挿通部９ｄ及び前側スプリング９の挿通部１４に嵌合してレンズ支持体７のベース５に対する回転を規制し、次いでレンズ体１２をレンズ支持体７にねじ込んで、レンズ体１２をレンズ支持体７に固定している。【選択図】      図１
2006284652.tif 000002
【特許請求の範囲】
【請求項１】
レンズ支持体をスプリングを介して揺動自在に筐体に取り付けた後、レンズ支持体にレンズ体を固定するレンズ駆動装置の製造方法において、レンズ支持体とスプリングとを筐体に組み込んだ後、ピンをレンズ支持体の挿通部及びスプリングの挿通部に嵌合してレンズ支持体の筐体に対する回転を規制し、次いでレンズ体をレンズ支持体にねじ込んで、レンズ体をレンズ支持体に固定することを特徴とするレンズ駆動装置の製造方法。
【請求項２】
スプリングは平面視円環状の板ばねであり、レンズ支持体側に取り付けられる内環と、筐体側に取り付けられる外環と、内環と外環とを繋ぐ複数の腕部とを備えており、スプリングの腕部間にピンの挿通部が形成されていることを特徴とする請求項１に記載のレンズ駆動装置の製造方法。
【請求項３】
ピンは台座に固定されており、台座にはレンズ支持体のレンズ取付孔に連通するレンズ挿入孔が形成されており、レンズ挿入孔の内径はレンズ体の外径とほぼ等しく、台座を筐体の上面に載置してピンをレンズ支持体の挿通部及びスプリングの挿通部に嵌合させた後、レンズ体をレンズ挿入孔に挿入してレンズ支持体にねじ込んでいることを特徴とする請求項１又は２に記載のレンズ駆動装置の製造方法。
【発明の詳細な説明】
【技術分野】
【０００１】
本発明は、レンズ駆動装置の製造方法に関する。
【背景技術】
【０００２】
特許文献１には、レンズ体を備えたレンズ支持体と、レンズ支持体を揺動自在に支持するスプリングとを筐体に組み込んだレンズ駆動装置が開示されている。かかるレンズ駆動装置では、レンズ支持体とスプリングとを筐体に組み込んだ後、レンズ体をレンズ支持体にねじ込んで固定している。
【０００３】
【特許文献１】特開２００４−２８００３１号公報
【発明の開示】
【発明が解決しようとする課題】
【０００４】
しかし、上述の特許文献１に記載の従来技術では、レンズ支持体を筐体にスプリングで支持しているだけなので、レンズ体をレンズ支持体にねじ込んで固定する際に、ねじ込み動作に連動してレンズ支持体が回転するおそれがあり、レンズ支持体の回転によりスプリングが変形するおそれが生じるという問題がある。
【０００５】
本発明は、レンズ支持体にレンズ体を組付ける際のスプリングの変形を防止できるレンズ駆動装置の製造方法を得ることを目的とする。
【課題を解決するための手段】
【０００６】
前記課題を解決するために、請求項１に記載された発明は、レンズ支持体をスプリングを介して揺動自在に筐体に取り付けた後、レンズ支持体にレンズ体を固定するレンズ駆動装置の製造方法において、レンズ支持体とスプリングとを筐体に組み込んだ後、ピンをレンズ支持体の挿通部及びスプリングの挿通部に嵌合してレンズ支持体の筐体に対する回転を規制し、次いでレンズ体をレンズ支持体にねじ込んで、レンズ体をレンズ支持体に固定することを特徴とする。
【０００７】
請求項２に記載された発明は、請求項１に記載の発明において、スプリングは平面視円環状の板ばねであり、レンズ支持体側に取り付けられる内環と、筐体側に取り付けられる外環と、内環と外環とを繋ぐ複数の腕部とを備えており、スプリングの腕部間にピンの挿通部が形成されていることを特徴とする。
【０００８】
請求項３に記載された発明は、請求項１又は２に記載の発明において、ピンは台座に固定されており、台座にはレンズ支持体のレンズ取付孔に連通するレンズ挿入孔が形成されており、レンズ挿入孔の内径はレンズ体の外径とほぼ等しく、台座を筐体の上面に載置してピンをレンズ支持体の挿通部及びスプリングの挿通部に嵌合させた後、レンズ体をレンズ挿入孔に挿入してレンズ支持体にねじ込んでいることを特徴とする。
【発明の効果】
【０００９】
請求項１に記載の発明によれば、レンズ駆動装置の製造時において、ピンをレンズ支持体及びスプリングの挿通部に嵌合してレンズ支持体の筐体に対する回転を規制しているので、レンズ体のねじ込み動作に連動してレンズ支持体が回転方向に回転し難い。よって、スプリングに力がかからず、スプリングがねじれたりして破損するのを防止できる。
【００１０】
レンズ体をレンズ支持体に対してねじ込んで固定するので、ねじ込み量を調整するだけでレンズ体の光軸方向の位置調整が容易にできる。
【００１１】
請求項２に記載された発明によれば、請求項１に記載の発明と同様の効果を奏するとともに、腕部間に挿通部を設けているので腕部がじゃまにならずに、ピンの挿通部を確保
できる。
【００１２】
内環と外環とを腕部で繋いでいるので、スプリングの回転方向に大きなねじれがかかると腕部が変形し易いが、ピンの挿通部の面積を広くとることができるので、挿通部の剛性が高まり、内環に対して外環が回転方向のねじれが生じたときにピンの挿通部に当たってスプリングが変形するのを防止できる。
【００１３】
請求項３に記載された発明によれば、請求項１又は２に記載の発明と同様の効果を奏するとともに、レンズ挿入孔の内径はレンズ体の外径とほぼ等しく、レンズ体を台座のレンズ挿入孔に挿入してからレンズ体をねじ込むので、レンズ体の挿入角度が光軸方向に対して斜めにずれにくく、レンズ体をレンズ支持体にスムーズにねじ込むことができる。
【００１４】
台座を筐体の上面に載せるだけで、ピンがスプリングの挿通部に嵌合するので、ピンの差し込み作業が容易である。
【発明を実施するための最良の形態】
【００１５】
以下に、添付図面を参照して、本発明の実施の形態を詳細に説明する。図１は本実施の形態に係るレンズ駆動装置の製造方法を示す図であり、筐体の上面に台座を載せた状態を示す縦断面図、図２は本実施の形態に係るレンズ駆動装置の製造方法を示す図であり、筐体の上面に台座を載せる前の状態を示す斜視図、図３は本実施の形態に係るレンズ駆動装置の製造方法を示す図であり、筐体の上面に台座を載せてレンズ体をねじ込む前の状態を示す斜視図、図４は図５に示すレンズ駆動装置のスプリングを抜き出して示す平面図、図５は本実施の形態に係るレンズ駆動装置の分解斜視図である。
【００１６】
本実施形態に係るレンズ駆動装置１は、携帯電話のオートフォーカスレンズに組み込むものであり、略円筒状のヨーク３と、ヨーク３が装着される筐体（ベース５、フレーム６）と、ヨーク３の内周側に配置されるレンズ支持体７と、レンズ支持体７の外周側に配置されるコイル１０と、レンズ支持体７の前後方向に配置される前側スプリング９及び後側スプリング１１とを備えている。
【００１７】
ヨーク３は、断面が略コ字状であり、コ字内にリング状のマグネット１３が配置されている。マグネット１３はリング状であり、周方向に沿って４つの円弧状のブロックに分かれている。
【００１８】
ベース５は樹脂製であり、略平坦状の基底部５ａと、基底部５ａの四隅に立設して設けたベース側連結部５ｂとを備えている。
【００１９】
フレーム６は樹脂製であり、略平坦状の上壁部６ａと、上壁部６ａの四隅に立設して設けたフレーム側連結部６ｂとを備えている。更に、上壁部６ａには円形状の開口部６ｄが形成されており、開口部６ｄの位置にレンズ支持体７に装着されたキャップ１５が位置するようになっている。また、開口部６ｄには略円弧状の凹部６ｅが形成されており、開口部６ｄの凹部６ｅとキャップ１５に形成された凹部１５ａとにより、組付け時における回転止め用のピン２３が挿通する挿通孔（挿通部）１４が形成されている。
【００２０】
前側スプリング９は平面視略円環状の板ばねであり、内環９ａと外環９ｂとが設けられている。内環９ａは円環状を成し、外環９ｂは内環９ａよりも半径の大きな円環状を成し、内環９ａと外環９ｂとの間には両者を繋ぐ複数の腕部９ｃを備えている。腕部９ｃは前側スプリング９の円環方向に間隔をあけて設けており、腕部９ｃ間にピン２３の挿通部９ｄを設けている。この挿通部９ｄには略半円状の切欠が形成されており、かかる部分にピン２３が嵌合するようになっている。尚、挿通部９ｄは半径方向外方に突設して設けてあり、挿通部９ｄが突設した分、外環９ｂが半径方向外方に凹んだ形状を成している。
【００２１】
前側スプリング９の内環９ａはレンズ支持体７とキャップ１５に挟まれて固定されており、外環９ｂはベース５に固定されたヨーク（外ヨーク３ａ、内ヨーク３ｂ）とフレーム６との間に挟まれて固定されている。尚、外環９ｂとヨーク３との間には前方スペーサ１７が介在されている。
【００２２】
後側スプリング１１は平面視略円環状に板ばねであり、内環１１ａは円環状を成し、外環１１ｂは内環１１ａよりも半径の大きな円環状を成し、内環１１ａと外環１１ｂとの間には両者を繋ぐ複数の腕部１１ｃを備えている。腕部１１ｃは後側スプリング１１の円環方向に間隔をあけて設けてある。内環１１ａはレンズ支持体７の光軸方向後端に固定されており、外環１１ｂはベース５の基底部５ａと後方スペーサ１９との間に挟まれて固定されている。
【００２３】
レンズ支持体７は略円環形状であり、その内部のレンズ取付孔７ａにレンズ体１２が固定されている。また、レンズ取付孔７ａにはねじ溝７ｂが形成されている。レンズ体１２の外周にはねじ山１２ａが形成されており、レンズ体１２の前側にはねじ込み治具３０の被係合部３５が係合する係合部１２ｂが設けられている。
【００２４】
次に、レンズ駆動装置１の製造時に用いられる治具について説明する。製造時に用いられる治具はレンズ支持体７にレンズ体１２をねじ込む際のレンズ支持体７の回転を規制する回転規制治具２０と、レンズ体１２をレンズ支持体７にねじ込む為のねじ込み治具３０である。
【００２５】
回転規制治具２０はフレーム６の上面に載置される台座２１と、台座２１から下方に向けて突出する３本のピン２３と、レンズ支持体７の内周に嵌め込まれるガイド２２とを備え、台座２１にはレンズ取付孔７ａに連通するレンズ挿入孔２５が形成されており、レンズ挿入孔２５の内径（Ｗ２）はレンズ体１２の外径（Ｗ１）とほぼ等しくなっている。
【００２６】
ねじ込み治具３０は、レンズ体１２の係合部１２ｂに係合する被係合部３５と、被係合部の取付部３３と、被係合部３５に回転トルクを付与する回転部３１とを備えており、回転部３１を回転させて被係合部３５に係合したレンズ体１２をレンズ支持体７のレンズ取付孔７ａにねじ込むようにしている。
【００２７】
次に、本実施の形態にかかるレンズ駆動装置の製造方法及び作用効果を説明する。レンズ駆動装置１の組み立ては、まずレンズ支持体７に後側スプリング１１を取り付け、マグネット１３と、レンズ支持体７に固定したコイル１０とをヨーク３の内部に配置して、ベース５の基底部５ａに後方スペーサ１９を介して組み付ける。そして、前方スペーサ１７とヨーク３との間に前側スプリング９の内環９ａを載置してキャップ１５で固定すると共にフレーム６をベース５に取り付けて、前側スプリング９の外環９ｂをフレーム６で固定する。
【００２８】
次に、レンズ支持体７に対してレンズ体１２を固定する。この場合、まず図２に示すように、回転規制治具２０をフレーム６の上面に載置してピン２３をレンズ支持体７の挿通部１４及び前側スプリング９の挿通部９ｄに差し込んで嵌合する。その後、レンズ体１２を台座２１のレンズ挿入孔２５に挿入し、ねじ込み治具３０の被係合部３５をレンズ体１２の係合部１２ｂに係合して図中矢印方向に所定量回転させて、レンズ体１２をレンズ支持体７にねじ込んで固定する。レンズ体１２が固定された後、回転規制治具２０を抜いてレンズ駆動装置１の組み立てが終了する。
【００２９】
本実施の形態では、レンズ駆動装置１の製造時において、ピン２３をレンズ支持体７の挿通孔１４及び前側スプリング９の挿通部９ｄに嵌合してレンズ支持体７のフレーム６に対する回転を規制しているので、レンズ体１２のねじ込み動作に連動してレンズ支持体７が回転方向に回転し難い。よって、前側スプリング９及び後側スプリング１１に力がかからず、円環状の板ばねのような変形しやすいスプリングを用いた場合でも、スプリングがねじれたりして破損するのを防止できる。
【００３０】
レンズ体１２をレンズ支持体７に対してねじ込んで固定するので、接着固定の場合に比べて組付けが容易である。
【００３１】
レンズ体１２をレンズ支持体７に対してねじ込んで固定するので、ねじ込み量を調整するだけでレンズ体１２の光軸方向の位置調整が容易にできる。
【００３２】
腕部９ｃ間に挿通部９ｄを設けているので腕部９ｃがじゃまにならずに、ピン２３の挿通部９ｄを容易に確保できる。
【００３３】
内環９ａと外環９ｂとを腕部９ｃで繋いでいるので、前側スプリング９の回転方向に大きなねじれがかかると腕部９ｃが変形し易いが、ピン２３の挿通部９ｄの面積を広くとることができるので、挿通部９ｄの剛性が高まり、内環９ａに対して外環９ｂが回転方向のねじれが生じたときにピンの挿通部９ｄに当たって前側スプリング９が変形するのを防止できる。
【００３４】
回転規制治具２０のレンズ挿入孔２５の内径はレンズ体１２の外径とほぼ等しく、レンズ体１２を台座２１のレンズ挿入孔２５に挿入してからレンズ体１２をねじ込むので、レンズ体１２の挿入角度が光軸方向に対して斜めにずれにくく、レンズ体１２をレンズ支持体７にスムーズにねじ込むことができる。
【００３５】
台座２１をフレーム６の上面に載せるだけで、ピン２３がレンズ支持体７の挿通部１４及び前側スプリング９の挿通部９ｄに嵌合するので、ピン２３の差し込み作業が容易である。
【００３６】
尚、本発明は、前述した実施形態に限定されることなく、その要旨を逸脱しない範囲で種々変形して実施できることは言うまでもない。
【００３７】
レンズ駆動装置１は携帯電話に係るカメラに限らず、デジタルカメラに用いるものであっても良い。
【図面の簡単な説明】
【００３８】
【図１】本実施の形態に係るレンズ駆動装置の製造方法を示す図であり、フレームの上面に台座を載せた状態を示す縦断面図である。
【図２】本実施の形態に係るレンズ駆動装置の製造方法を示す図であり、フレームの上面に台座を載せる前の状態を示す斜視図である。
【図３】本実施の形態に係るレンズ駆動装置の製造方法を示す図であり、フレームの上面に台座を載せてレンズ体をねじ込む前の状態を示す斜視図である。
【図４】図５に示すレンズ駆動装置のスプリングを抜き出して示す平面図である。
【図５】本実施の形態に係るレンズ駆動装置の分解斜視図である。
【符号の説明】
【００３９】
１              レンズ駆動装置
５              ベース（筐体）
６              フレーム（筐体）
７              レンズ支持体
７ａ            レンズ取付孔
９              前側スプリング（スプリング）
９ａ            内環
９ｂ            外環
９ｃ            腕部
９ｄ            挿通部
１２            レンズ体
１４            挿通部
２１            台座
２３            ピン
２５            レンズ挿入孔
【図１】
2006284652.tif 000003
【図２】
2006284652.tif 000004
【図３】
2006284652.tif 000005
【図４】
2006284652.tif 000006
【図５】
2006284652.tif 000007